(57)【要約】【課題】調理に使用できる面積を広げられるとともに、手際よく調理作業を行えるキッチンカウンターを提供する【解決手段】カウンター部２に調理台部１１と脚部１２とからなる側面視Ｌ字型の調理プレート１を備え、該カウンター部２の前縁には嵌合溝部３が付設されるとともに、該嵌合溝部３には上記調理プレート１の手前側に垂設された脚部１２が着脱自在に嵌合され、上記調理プレート１がカウンター部２の横幅全体に亘ってスライド可能とされたキッチンカウンターＡ。【選択図】図１
2006081572.tif 000002
【特許請求の範囲】
【請求項１】
カウンター部に調理台部と脚部とからなる側面視Ｌ字型の調理プレートを備え、該カウンター部の前縁には嵌合溝部が付設されるとともに、該嵌合溝部には上記調理プレートの手前側に垂設された脚部が着脱自在に嵌合され、上記調理プレートがカウンター部の横幅全体に亘ってスライド可能とされたキッチンカウンター。
【請求項２】
上記垂設された脚部をＬ字型に内側に折り曲げて係合部を形成するとともに、その先端に係合片を連設して該係合部を嵌合溝部にけんどん式に嵌合し、かつ、上記調理プレートの後端部が上記カウンター部の後縁に設けられたスライドレール部にスライド可能に載置された請求項１に記載のキッチンカウンター。
【請求項３】
上記垂設された脚部をＬ字型に内側に折り曲げて係合部を形成するとともに、その先端に係合片を連設して該係合部を嵌合溝部にけんどん式に嵌合し、かつ、上記調理プレートがスライド可能に片持ち支持された請求項１に記載のキッチンカウンター。
【請求項４】
上記調理プレートの調理台部がまな板である請求項３に記載のキッチンカウンター。
【発明の詳細な説明】
【技術分野】
【０００１】
本発明は、キッチンカウンターに関する。さらに詳しくは、カウンター部の横幅全体に亘ってスライド移動する調理プレートを備えたキッチンカウンターの構造に関する。
【背景技術】
【０００２】
従来、調理や、水切りに使用する部分の面積を広げられるとともに、それぞれに使用する面積を可変とするため、シンクの開口部の前端部と後端部とに二段にレールを架け渡し、上段のレールに調理プレートを、下段のレールに水切りプレートをそれぞれスライド自在に設けたキッチンカウンターが提案されている。
【特許文献１】特開平６−７３７６７号公報（第１−２頁、第１図）
【発明の開示】
【発明が解決しようとする課題】
【０００３】
しかしながら、近年、シンクの開口部の上のみならずカウンター部の全面を広く使って、大鍋等を電磁式調理器等の調理設備からシンクへ簡単に移動できるとともに、調理のレシピにしたがって、ボウル、調味料、調理材料等を自在に移動できるキッチンカウンターが求められている。本発明はこのような状況の下でなされたものであり、調理に使用できる面積を広げられるとともに、複雑なレシピの場合でも、手際よく調理作業を行えるキッチンカウンターを提供することを、その課題とする。
【課題を解決するための手段】
【０００４】
上記した課題を解決するために、本発明においては、つぎのような技術的手段を講じている。すなわち、本発明によれば、カウンター部に調理台部と脚部とからなる側面視Ｌ字型の調理プレートを備え、該カウンター部の前縁には嵌合溝部が付設されるとともに、該嵌合溝部には上記調理プレートの手前側に垂設された脚部が着脱自在に嵌合され、上記調理プレートがカウンター部の横幅全体に亘ってスライド可能とされたキッチンカウンターが提供される。上記嵌合溝部は、アルミ製部材にレール状に溝部を凹設して形成されることがこの好ましい。また、上記調理プレートとしては、合成樹脂成型品が好ましく用いられる。
【０００５】
上記垂設された脚部をＬ字型に内側に折り曲げて係合部を形成するとともに、その先端に係合片を連設して該係合部を嵌合溝部にけんどん式に嵌合し、かつ、上記調理プレートの後端部が上記カウンター部の後縁に設けられたスライドレール部にスライド可能に載置されることが好ましい。スライドレール部としては、アルミ製部材を成形してなることが好ましい。
【０００６】
また、上記垂設された脚部をＬ字型に内側に折り曲げて係合部を形成するとともに、その先端に係合片を連設して該係合部を嵌合溝部にけんどん式に嵌合し、かつ、上記調理プレートがスライド可能に片持ち支持されることが好ましい。このとき、調理プレートの調理台部はまな板とされる。
【発明の効果】
【０００７】
請求項１に記載の発明は上記のとおりであり、カウンター部の前縁に付設された嵌合溝部に調理プレートの手前側に垂設した脚部が着脱自在に嵌合され、上記調理プレートがカウンター部の横幅全体に亘ってスライド可能とされているため、調理に使用できる面積を広げられるとともに、手際よく調理作業を行うことができる。
【０００８】
上記垂設された脚部をＬ字型に内側に折り曲げて形成された係合部を嵌合溝部にけんどん式に嵌合し、かつ、上記調理プレートの後端部が上記カウンター部の後縁に設けられたスライドレール部にスライド可能に載置されるため、内容物の入った大鍋等、重量物を載置することが可能となり、電磁式調理器等の調理設備からシンクへ簡単に移動できるとともに、カウンター部の全面を広く使って調理作業を行える。
【０００９】
上記垂設された脚部をＬ字型に内側に折り曲げて形成された係合部を嵌合溝部にけんどん式に嵌合し、かつ、上記調理プレートがスライド可能に片持ち支持されるため、カウンター部上の任意の位置に移動できるとともに、必要に応じて調理プレートを取り外すことも可能であり、手際よく調理作業を行うことができる。さらに、調理プレートの調理台部をまな板とすることによって、カウンター部上の任意の位置で調理できるとともに、カウンター部の全面を広く使って調理作業を行える。
【発明を実施するための最良の形態】
【００１０】
以下、本発明の実施形態について図面を参照して、詳細に説明する。図１は、本発明の第一実施形態にかかるキッチンカウンターＡを示す斜視図である。図２は、図１におけるＸ−Ｘ線に沿う要部断面斜視図である。図１、図２からよくわかるように、カウンター部２は人造大理石あるいはメラミン化粧板からなり、電磁式調理器６、シンク７および側面視Ｌ字型の調理プレート１を備えている。合成樹脂成型品である調理プレート１は、調理台部１１と手前側に垂設された脚部１２とからなり、脚部１２は上記カウンター部２の前縁の下部に付設された嵌合溝部３に着脱自在に嵌合される。また、調理台部１１は、後記するように、脚部１２の下端部を内側に折り曲げて形成した係合部１２１が嵌合溝部３に沿ってスライドすることにより、カウンター部２の横幅全体に亘ってスライド可能とされている。
【００１１】
図１、図２によく示されているように、上記調理プレート１の後端部１３は上記カウンター部２の後縁に設けられたスライドレール部４によってしっかりと支持される。このように、調理プレート１の後端部１３をアルミ製部材を成形してなるスライドレール部４でスライド自在に支持することによって、調理プレート１は内容物の入った大鍋等、重量物を載置することができ、載置したまま、例えば、電磁式調理器６の上からシンク７へスムースに移動することができる。また、大鍋等以外に、ボウル、調味料、調理材料等を載置してカウンター部２上を自在に移動することができる。
【００１２】
図３は、脚部１２の下端部にＬ字型に内側に突設された係合部１２１が嵌合溝部３にけんどん式に嵌合した状態を示す側断面図である。図３からよくわかるように、上記係合部１２１の先端には係合片１２２が連設され、この係合片１２２を嵌合溝部３に嵌合することによって、嵌合溝部３を形成する上部係合部３１と下部係合部３２とが上記係合片１２２を嵌合溝部３に沿ってスライド自在に、かつ、着脱自在にしっかりと係止する。
【００１３】
図４は、第一実施形態にかかる調理プレート１の調理台部１１に内容物の入った大鍋８を載置した状態を示す平面図である。図４から、調理プレート１がカウンター部２の横幅全体に亘ってスライド可能とされ、上記大鍋８のみならず、ボウル、調味料、調理材料等が載置できるとともに、カウンター部２の全面を広く使って調理作業を行えることが明らかである。
【００１４】
図５は、本発明の第二実施形態にかかるキッチンカウンターＢを示す部分斜視図である。図５からよくわかるように、本実施形態における調理プレート５は、まな板５１と脚部５２とからなるとともに、脚部５２の先端はＬ字型に内側に折り曲げられて係合部５２１とされ、この係合部５２１の先端には図示しない係合片が付設されている。この係合片は、第一実施形態と同様に嵌合溝部３に嵌合するとともに、嵌合溝部３に沿ってスライド自在に支持される。このようにすることによって、まな板５１は、カウンター部２の前縁の下部に付設された嵌合溝部３に沿ってスライド自在に片持ち支持され、カウンター部２上の任意の位置にまな板５１を移動して調理できる。また、必要に応じて調理プレート５を取り外すこともできる。
【００１５】
なお、第一、第二実施形態ともに調理プレート１（５）の手前部、例えば、脚部１２（５２）に把手（図示せず）を設けこの把手を用いて調理プレート１（５）を左右に移動するようにしてもよい。さらに、把手の握り棒部をタオル掛けとしてもよく、このように本発明のキッチンカウンターは種々に設計変更可能である。
【図面の簡単な説明】
【００１６】
【図１】本発明の第一実施形態にかかるキッチンカウンターを示す斜視図である。
【図２】図１におけるＸ−Ｘ線に沿う要部断面斜視図である。
【図３】調理プレートの脚部の下端にＬ字型に内側に突設された係合部を嵌合溝部にけんどん式に嵌合した状態を示す側断面図である。
【図４】第一実施形態にかかる調理プレートの調理台部に大鍋を載置した状態を示す平面図である。
【図５】本発明の第二実施形態にかかるキッチンカウンターを示す部分斜視図である。
【符号の説明】
【００１７】
Ａ          本発明の第一実施形態にかかるキッチンカウンター
１          調理プレート
１１        調理台部
１２        脚部
１２１      係合部
１２２      係合片
１３        後端部
２          カウンター部
３          嵌合溝部
３１        上部係合部
３２        下部係合部
４          スライドレール部
６          電磁式調理器
７          シンク
８          大鍋
Ｂ          第二実施形態にかかるキッチンカウンター
５          上記における調理プレート
５１        まな板
５２        脚部
５２１      係合部
【図１】
2006081572.tif 000003
【図２】
2006081572.tif 000004
【図３】
2006081572.tif 000005
【図４】
2006081572.tif 000006
【図５】
2006081572.tif 000007